(57)【要約】【課題】取り付け位置の制約が少なく、耐荷重特性に優れたボックス状体を見栄え良く壁に備え付けることができる。【解決手段】上側板１０及び下側板１１と対をなす側板１２と、背板１３とを備えており、背板１３の背面を壁面に添装するようにして背板１３において壁Ｂに止着するように備え付けられるボックス状体Ａであって、ボックス状体Ａの側板１２に平行な一枚又は複数枚の仕切り板１４を、仕切り板１４の上端部１４ａに備えられている対をなす掛合手段Ｃの一方を上側板１０に備えられている掛合手段Ｃの他方に掛合し、かつ、下端部１４ｂに備えられている対をなす掛合手段Ｃの一方を下側板１１に備えられている掛合手段Ｃの他方に掛合させて、上側板１０と下側板１１とを連結するようにしてあると共に、ボックス状体Ａを壁Ｂに対して止着する止め具１６の少なくとも一部を仕切り板１４の後端面１４ｄ’で隠すようにしてある。【選択図】図２
2010167074.tif 000002
【特許請求の範囲】
【請求項１】
互いに面を向き合わせて平行に備えられる上側板及び下側板と、互いに面を向き合わせて平行に備えられる対をなす側板と、背板とを備えており、当該背板の背面を壁面に添装するようにして該背板において壁に止着するように備え付けられるボックス状体であって、
このボックス状体は、当該ボックス状体の前記側板に平行な一枚又は複数枚の仕切り板を、該仕切り板の上端部に備えられている対をなす掛合手段の一方を前記上側板に備えられている該掛合手段の他方に掛合し、かつ、下端部に備えられている対をなす掛合手段の一方を下側板に備えられている該掛合手段の他方に掛合させて、前記上側板と下側板とを連結するようにしてあると共に、当該ボックス状体を壁に対して止着する止め具の少なくとも一部を前記仕切り板の後端面で隠すようにしてあることを特徴とするボックス状体。
【請求項２】
前記仕切り板の後端部に対をなす掛合手段の一方を、当該仕切り板の後端面に向き合っている背板に備えられる該掛合手段の他方に掛合させ得るようにしてあることを特徴とする請求項１に記載のボックス状体。
【請求項３】
前記背板における前記上側板と下側板と両側板とで囲まれている表面の周縁に沿って該上側板及び下側板並びに両側板とに一連に連続する溝が設けてあり、
この溝に、化粧板の上下縁部を嵌め入れるようにして複数枚の化粧板を組み付けると共に、この嵌め込まれた化粧板であって、側板に隣り合う化粧板を当該側板側に移動して該化粧板における側縁部を側板側にある溝に押し入れるようになし、かつ、該溝に押し入れられないで互いに隣り合う化粧板の側縁部を前記仕切り板と背板との間で挟み込むようにしてあることを特徴とする請求項１又は請求項２に記載のボックス状体。
【発明の詳細な説明】
【技術分野】
【０００１】
この発明は、収納棚や各種収納キャビネットなどを、当該収納棚や収納キャビネット等を構成する背板を用いて壁に組み付け用いうるようにしたボックス状体にあって、下側板に必要かつ十分な荷重強度をもたらすようにしたボックス状体の提供に関する。
【背景技術】
【０００２】
通例の住宅を初めとする各種の建物において壁面を活用して各種収納棚や収納ボックスを設けることは一般的になされている。
かかる壁付きの収納棚や、収納キャビネット類は、多くの場合、Ｌ形金物等の吊り受け具を、当該収納棚や収納キャビネットの荷重を確実に受け得る耐荷重性を備えたものとして用意し、この吊り金物を、壁の化粧仕上げに先立って対象下地材に取り付け用意する必要があった。
【０００３】
また、かかる壁に備えられる収納棚や収納キャビネットは、対をなす側板間に天板、底板と、必要とされる枚数の棚板とで、基本的な構造体が構成されており、背板は、背面を塞ぐ化粧背板とされていることが通例であり、前記吊り金物で当該構造体における側板を吊り、底板を受けるようにして、対象壁体に組み付けるようにしていた。
【０００４】
しかしながら、かかる方法では、当該収納棚や収納キャビネット等を受けるに十分な荷重強度を備える壁下地材の存在する位置を逐一、確認しながら、当該収納棚や収納キャビネットの取り付けをなす必要があり、壁下地材の関係から、備え付け位置に多くの制約があり、また、壁の化粧仕上げ後における収納棚や収納キャビネット等の備え付けに難があった。
【０００５】
かかる点から、背板と吊り戸棚の後端との間に縦方向に固定板を設け、側板に取り付けたＬ字状の吊り金具に、前記固定板を皿ねじで取り付けた吊り戸棚が提案されている（例えば、特許文献１）。
【先行技術文献】
【特許文献】
【０００６】
【特許文献１】特開平５−７５１３号公報
【発明の概要】
【発明が解決しようとする課題】
【０００７】
この特許文献１に示される吊り戸棚では、側板に取り付けた縦方向に長い固定板を当該側板に沿った背板部分に設け、吊り戸棚の壁に備えられる桟材に対して比較的、自由度をもって取り付けうる特長を有している。
【０００８】
しかしながら、吊り戸棚を壁に対して組み付けた際における当該吊り戸棚に生ずる荷重は、この補強された固定板によって受けられるものの、さらに、多くの荷重が付加された場合に対処し難い問題点があった。
【０００９】
また、かかる構成からなる吊り戸棚では、実際に荷を載せ置かれる底板は、両サイドにある側板によって支持されており、側板と側板との中間位置における底板を当該側板で支え得る構成を備えていなかった。
【００１０】
また、構成される吊り戸棚は、対をなす各側板と天板及び底板からなる矩形枠状体を薄物の背板によって当該矩形を維持するように保形してあるものの、当該背板を破断するような外力が付加された場合に構成されている吊り戸棚に変形を生ずる不具合があった。
【００１１】
また、かかる構成の吊り戸棚では、背板の任意の位置での壁部材に対する組み付けに制約があり、壁下地の構成の具合によっては壁面に備え付けできない場合があった。
【００１２】
かかる点から、壁面の任意の箇所に随時に組み付け得ると共に、耐荷重特性が特に良好とされるボックス状体の提案が求められていた。
【課題を解決するための手段】
【００１３】
前記課題を達成するために、この発明にあっては、互いに面を向き合わせて平行に備えられる上側板及び下側板と、互いに面を向き合わせて平行に備えられる対をなす側板と、背板とを備えており、当該背板の背面を壁面に添装するようにして該背板において壁に止着するように備え付けられるボックス状体であって、
このボックス状体は、当該ボックス状体の前記側板に平行な一枚又は複数枚の仕切り板を、該仕切り板の上端部に備えられている対をなす掛合手段の一方を前記上側板に備えられている該掛合手段の他方に掛合し、かつ、下端部に備えられている対をなす掛合手段の一方を下側板に備えられている該掛合手段の他方に掛合させて、前記上側板と下側板とを連結するようにしてあると共に、当該ボックス状体を壁に対して止着する止め具の少なくとも一部を前記仕切り板の後端面で隠すようにしてあることを特徴とするボックス状体としてある。
【００１４】
このように収納棚や収納キャビネット等として壁に備え付けられるボックス状体は、背板を壁に止めつけることで、当該壁に止めつけた背板部分で、ボックス状体にもたらされる全荷重を受けうるように構成してあり、当該ボックス状体を構成する背板のいずれの部分を用いても、当該ボックス状体を壁に強固に組み付けることができ、壁に対する取り付けの自由度を飛躍的に増すことができる。
【００１５】
また、上側板と下側板とを、構成されるボックス状体の任意の位置で仕切り板で連結できることから、当該ボックス状体を構成する下側板が、この下側板に載せ置かれる物品によって下方にたるむ不具合を避けることができる。
【００１６】
また、上側板と下側板と対をなす両側の側板とで構成される矩形空間内に矩形の仕切り板が、その上端と下端とを該ボックス状体を構成する上側板及び下側板に掛合されて、当該ボックス状体に構成される矩形空間を埋めるように機能することから、ボックス状体の変形、歪みだしが抑止される。
【００１７】
また、この仕切り板の後端面で、当該ボックス状体を壁に止めつけている止め具の、当該仕切り板の後方に位置づけられている止め具を意識的に隠すように、この仕切り板をボックス状体に組み付けることで、ボックス状体における意匠性を良好とすることができる。
【００１８】
また、前記の課題を解決するために、前記仕切り板の後端部に対をなす掛合手段の一方を、当該仕切り板の後端面に向き合っている背板に備えられる該掛合手段の他方に掛合させ得るようにしてあることを特徴とするボックス状体にあっては、前記特長に併せて、仕切り板で下側板を背板に引き付けるように吊る効果を生じ、前記上側板、側板等に合わせて、仕切り板で下側板を背板に強固に連結することができ、当該ボックス状体における耐荷重性を著しく高めることができる。
【００１９】
また、前記課題を解決するために、前記背板における前記上側板と下側板と両側板とで囲まれている表面の周縁に沿って該上側板及び下側板並びに両側板とに一連に連続する溝が設けてあり、
この溝に、化粧板の上下縁部を嵌め入れるようにして複数枚の化粧板を組み付けると共に、この嵌め込まれた化粧板であって、側板に隣り合う化粧板を当該側板側に移動して該化粧板における側縁部を側板側にある溝に押し入れるようになし、かつ、該溝に押し入れられないで互いに隣り合う化粧板の側縁部を前記仕切り板と背板との間で挟み込むようにしてあることを特徴とする請求項１又は請求項２に記載のボックス状体にあっては、化粧特性に優れたボックス状体を壁の任意の位置に備え付け構成することができ、特に、化粧仕上げの済んでいる壁面等に対する収納棚や収納キャビネット等のボックス状体の備え付けに有効である。
【発明の効果】
【００２０】
この発明は、取り付け位置の制約が比較的少なく、目的とする壁面に対して都合よく取り付け得ると共に、耐荷重特性に優れたボックス状体を見栄え良く壁に備え付けることができる。
【図面の簡単な説明】
【００２１】
【図１】図１は、壁に備えられている典型的な実施例にかかるボックス状体を斜め上方から見て示している。
【図２】図１に係るボックス状体の要部部品を分離した状態を斜め上方から見て示している。
【図３】図３は、このボックス状体を壁に取り付け、かつ、化粧板及び仕切り板を取り付け状態を水平向きに断面して下方を見て示している。
【図４】図４は、このボックス状体を壁に取り付け、かつ、仕切り板を組み付ける状態を縦向きに断面して、側方から見て示している。
【図５】図５は、この実施例に用いられる仕切り板と当該仕切り板の上端、後端、下端に備えられる各対をなす掛合手段の一方と、上側板、背板、下側板に備えられる掛合手段の他方とを分離した状態で示している。
【図６】図６は、壁に備え付けたボックス状体における仕切り板と上側板及び下側板との掛合状態を縦向きに断面して前方から見て示している。
【図７】図７は、仕切り板を背板に掛合する状態を、当該掛合直前で水平向きに断面して上方から見て示している。
【図８】図８は、この仕切り板を背板に掛合した状態を水平向きに断面して上方から見て示している。
【図９】図９は、他の典型的な実施例に係るボックス状体を壁に備え付けた状態を斜め上方から見て示している。
【図１０】図１０は、当該第二実施例に係るボックス状体の備え付け状態を縦向きに断面して側方から見て示している。
【図１１】図１１は、当該ボックス状体を壁に取り付け、かつ、化粧板及び仕切り板を取り付け状態を水平向きに断面して下方を見て示している。
【図１２】図１２は、壁に備え付けた当該ボックス状体における仕切り板と上側板及び下側板との掛合状態を縦向きに断面して前方から見て示している。
【図１３】図１３は、当該ボックス状体を背板に掛合した状態を水平向きに断面して上方から見て示している。
【図１４】図１４は、更に他の典型的なボックス状体の要部部品を分離した状態を斜め上方から見て示している。
【図１５】図１５は、当該ボックス状体を壁に取り付け、かつ、化粧板及び仕切り板を取り付け状態を水平向きに断面して下方を見て示している。
【図１６】図１６は、当該ボックス状体を壁に取り付け、かつ、仕切り板を組み付ける状態を縦向きに断面して、側方から見て示している。
【図１７】図１７は、当該ボックス状体に用いられる仕切り板及び各掛合手段を分離して斜め上方から見て示している。
【図１８】図１８は、当該ボックス状体に仕切り板を組み付け掛合させた状態を縦向きに断面して、その要部を前方から見て示している。
【図１９】図１９は、当該ボックス状体に仕切り板を組み付け掛合させる直前の状態を当該仕切り板の上端面に沿って当該ボックス状体を断面して、下方を見て示している。
【図２０】図２０は、当該ボックス状体に仕切り板を組み付け掛合させた状態を当該仕切り板の上端面に沿って当該ボックス状体を断面して、下方を見て示している。
【発明を実施するための形態】
【００２２】
この発明に係る典型的なボックス状体Ａは、互いに面を向き合わせて平行に備えられる上側板１０及び下側板１１と、互いに面を向き合わせて平行に備えられる対をなす側板１２と、背板１３とを備えており、当該背板１３の背面を壁面に添装するようにして該背板１３において壁Ｂに止着するように備え付けられるボックス状体Ａであって、
このボックス状体Ａは、当該ボックス状体Ａの前記側板１２に平行な一枚又は複数枚の仕切り板１４を、該仕切り板１４の上端部１４ａに備えられている対をなす掛合手段Ｃの一方を前記上側板１０に備えられている該掛合手段Ｃの他方に掛合し、かつ、下端部１４ｂに備えられている対をなす掛合手段Ｃの一方を下側板１１に備えられている該掛合手段Ｃの他方に掛合させて、前記上側板１０と下側板１１とを連結するようにしてあると共に、当該ボックス状体Ａを壁Ｂに対して止着する止め具１６の少なくとも一部を前記仕切り板１４の後端面１４ｄ’で隠すように構成してある。
【００２３】
なお、ここで、ボックス状体Ａは、互いに面を向き合わせて平行に備えられる上側板１０及び下側板１１と、互いに面を向き合わせて平行に備えられる対をなす側板１２と、背板１３とを備えており、当該背板１３の背面を壁面に添装するようにして該背板１３において壁Ｂに止着するように備え付けられる構成を備えるものであれば、いかなる形態からなるものであっても、また、いかなる素材によって構成してあってもよい。
【００２４】
また、かかるボックス状体Ａは、たとえば、壁Ｂに棚を構成する手段として用いることができる。また、かかるボックス状体Ａは、たとえば、扉を備えるキャビネットを壁Ｂに構成する手段として用いることができる。
【００２５】
かかるボックス状体Ａは、互いに面を向き合わせて平行に備えられる上側板１０及び下側板１１と、互いに面を向き合わせて平行に備えられる対をなす側板１２と、背板１３とを備えており、当該背板１３の背面を壁面に添装するようにして該背板１３において壁Ｂに止着するように備え付けられる構成を備えるものであれば、前記下側板１１を底板１１ａとするものであっても、当該下側板１１を中板１１ｂとするものであってもよい。
【００２６】
また、当該ボックス状体Ａの背板１３は、当該背板１３において当該ボックス状体Ａを壁Ｂに止めつけて、当該ボックス状体Ａに加えられる荷重を受け得るものであれば、いかなる素材からなるものであっても、また、いかなる形態に備えられていてもよい。
【００２７】
また、当該ボックス状体Ａを構成する仕切り板１４は、上側板１０と下側板１１とを連結して当該下側板１１を所定位置に位置づけ得るものであれば、いかなる素材によって構成してあっても、いかなる形態に構成してあってもよい。
【００２８】
また、前記仕切り板１４を上側板１０及び下側板１１に掛合する掛合手段Ｃは、当該上側板１０と下側板１１とを当該掛合手段Ｃによって掛合することで、上側板１０によって当該下側板１１を所定の位置に位置づけ得るものであれば、いかなる素材からなる掛合手段Ｃであっても、また、いかなる態様の掛合手段Ｃであってもよい。
【００２９】
また、ボックス状体Ａを壁Ｂに背板１３において止着する止め具１６は、当該背板１３を柱、間柱、各種壁下地材に確実に止着して、当該ボックス状体Ａに加えられる荷重によって当該ボックス状体Ａが壁Ｂから脱落しないものであれば、いかなる素材からなる止め具１６であっても、また、いかなる形態の止め具１６であってもよい。
【００３０】
このように収納棚や収納キャビネット等として壁Ｂに備え付けられるボックス状体Ａは、背板１３を壁Ｂに止めつけることで、当該壁Ｂに止めつけた背板１３部分で、ボックス状体Ａにもたらされる全荷重を受けうるように構成してあり、当該ボックス状体Ａを構成する背板１３のいずれの部分を用いても、当該ボックス状体Ａを壁Ｂに強固に組み付けることができ、壁Ｂに対する取り付けの自由度を飛躍的に増すことができる。
【００３１】
また、上側板１０と下側板１１とを、構成されるボックス状体Ａの任意の位置で仕切り板１４で連結できることから、当該ボックス状体Ａを構成する下側板１１が、この下側板１１に載せ置かれる物品によって下方にたるむ不具合を避けることができる。
【００３２】
また、上側板１０と下側板１１と対をなす両側の側板１２とで構成される矩形空間内に矩形の仕切り板１４が、その上端と下端とを該ボックス状体Ａを構成する上側板１０及び下側板１１に掛合されて、当該ボックス状体Ａに構成される矩形空間を埋めるように機能することから、ボックス状体Ａの変形、歪みだしが抑止される。
【００３３】
また、この仕切り板１４の後端面１４ｄ’で、当該ボックス状体Ａを壁Ｂに止めつけている止め具１６の、当該仕切り板１４の後方に位置づけられている止め具１６を意識的に隠すように、この仕切り板１４をボックス状体Ａに組み付けることで、ボックス状体Ａにおける意匠性を良好とすることができる。
【００３４】
また、前記構成に係るボックス状体Ａにあって、前記仕切り板１４の後端部１４ｄに対をなす掛合手段Ｃの一方を、当該仕切り板１４の後端面１４ｄ’に向き合っている背板１３に備えられる該掛合手段Ｃの他方に掛合させ得るようにしたボックス状体Ａでは、前記特長に併せて、仕切り板１４で下側板１１を背板１３に引き付けるように吊る効果を生じ、前記上側板１０、側板１２等に合わせて、仕切り板１４で下側板１１を背板１３に強固に連結することができ、当該ボックス状体Ａにおける耐荷重性を著しく高めることができる。
【００３５】
また、前記構成に係るボックス状体Ａにあって、前記背板１３における前記上側板１０と下側板１１と両側板１２とで囲まれている表面１３ａの周縁に沿って該上側板１０及び下側板１１並びに両側板１２とに一連に連続する溝１７が設け
てあり、この溝１７に、化粧板１８の上下縁部１８ａ、１８ｂを嵌め入れるようにして複数枚の化粧板１８を組み付けると共に、この嵌め込まれた化粧板１８であって、側板１２に隣り合う化粧板１８を当該側板１２側に移動して該化粧板１８における側縁部１８ｃを側板１２側にある溝１７に押し入れるようになし、かつ、該溝１７に押し入れられないで互いに隣り合う化粧板１８の側縁部１８ｃを前記中仕切り板１４と背板１３との間で挟み込むようにしたボックス状体Ａでは、化粧特性に優れたボックス状体Ａを壁Ｂの任意の位置に備え付け構成することができ、特に、化粧仕上げの済んでいる壁面等に対する収納棚や収納キャビネット等のボックス状体Ａの備え付けに有効である。
【００３６】
まず、図１〜図８に示されるボックス状体Ａについて具体的に説明する。
【００３７】
この図１〜図８に示されるボックス状体Ａは、互いに面を向き合わせて平行に備えられる上側板１０（この図示例では、天板１０ａ）及び下側板１１（この図示例では底板１１ａ）と、互いに面を向き合わせて平行に備えられる対をなす側板１２、１２と、背板１３とを備えており、当該背板１３の背面を壁面に添装するようにして該背板１３において壁Ｂに止着するように備え付けられるボックス状体Ａであって、
このボックス状体Ａは、当該ボックス状体Ａの前記側板１２に平行な一枚の仕切り板１４を、該仕切り板１４の上端部１４ａに備えられている対をなす掛合手段Ｃの一方を前記上側板１０に備えられている該掛合手段Ｃの他方に掛合し、かつ、下端部１４ｂに備えられている対をなす掛合手段Ｃの一方を下側板１１に備えられている該掛合手段Ｃの他方に掛合させ、さらに、前記仕切り板１４の後端部１４ｄに対をなす掛合手段Ｃの一方を、当該仕切り板１４の後端面１４ｄ’に向き合っている背板１３に備えられる該掛合手段Ｃの他方に掛合させ、前記上側板１０と下側板１１と、背板１３とを連結するようにしてあると共に、当該ボックス状体Ａを壁Ｂに対して止着する止め具１６の少なくとも一部を前記仕切り板１４の後端面１４ｄ’で隠すように構成してある。
【００３８】
この結果、ボックス状体Ａは、背板１３において壁Ｂに対して強固に組み付けられると共に、下側板１１が当該仕切り板１４によって上側板１０及び背板１３によって、効果的に保持され、下側板１１に歪みを生ずることがなく、付加される荷重によって、当該下側板１１が下方に向けて垂れ下がる不具合を効果的に防ぐことができる。
【００３９】
また、壁Ｂに対して背板１３部分で止めつけられる当該ボックス状体Ａにおける止め具１６の一部を、このボックス状体Ａに組み付けられる仕切り板１４で隠すようにして、壁Ｂ備え付けのボックス状体Ａの意匠性を高めることができる。
【００４０】
かかるボックス状体Ａは、互いに面を向き合わせて平行に備えられる上側板１０及び下側板１１と、互いに面を向き合わせて平行に備えられる対をなす側板１２で構成される矩形の枠状体に背板１３を備え付けて、前面側の開口された矩形のボックス状に構成してある。かかる上側板１０、下側板１１及び対をなす側板１２、１２並びに背板１３は、各種の組み付け態様で組み付けてあればよく、例えば、対をなす側板１２、１２間に上側板１０及び下側板１１並びに背板１３を納めるように組み付けてあってもよい。
【００４１】
かかる各板相互の組み付けは、いかなる態様になされていてもよく、この図示例では、上側板１０をなす天板１０ａと、下側板１１をなす底板１１ａと背板１３とを対をなす側板１２、１２間に納めるように連結一体とした横長のボックス状体Ａとして用意されて、いわゆる、壁面棚部材的に備え付けられている。
【００４２】
また、このボックス状体Ａには、前記背板１３における前記上側板１０と下側板１１と両側板１２、１とで囲まれている表面１３ａの周縁に沿って該上側板１０及び下側板１１並びに両側板１２とに一連に連続するように溝１７を設けてあり、化粧板１８を嵌め込み得るようにしてある。
【００４３】
かかるボックス状体Ａを、当該ボックス状体Ａにおける背板１３の面を壁面に添装するようになすと共に、当該ボックス状体Ａの背板１３を木ねじ等適宜の止め具１６で壁Ｂに止着して、壁面にボックス状体Ａを備え付ける。すなわち、ボックス状体Ａは、背板１３を木ねじ等の適宜の手段で柱、間柱、各種壁下地材等に止めつけることで、当該ボックス状体Ａに付加される荷重に耐えうるように構成してあり、とくに、背板１３は、当該ボックス状体Ａに付加される荷重を当該背板１３を壁Ｂに止着することで受けうるように構成してある。
【００４４】
なお、ボックス状体Ａを、当該ボックス状体Ａに装着される仕切り板１４の後端面１４ｄ’で隠される位置における止め具１６による止着のみで、当該ボックス状体Ａを壁Ｂに対して強固に止着し得る場合には、当該位置で止め具１６を用いてボックス状体Ａを壁Ｂに止着する。また、当該仕切り板１４の後端面１４ｄ’で隠される位置だけの止着では、ボックス状体Ａを壁Ｂに対して必要な強度のもとに止着しきれない場合には、この仕切り板１４の後端面１４ｄ’で隠される位置での止着と共に当該背板１３の要所を止め具１６を用いて壁Ｂに止着する。なお、この図示例では、当該止め具１６として木ねじ１６ａを用いており、仕切り板１４の後端面１４ｄ’で隠される背板１３の上部側及び下部側と、上側板１０及び下側板１１並びに両側板１３で囲まれた背板１３の面１３ａの各隅部で当該ボックス状体Ａを壁Ｂに止着してある。
【００４５】
この化粧板１８の嵌め込み用の溝１７は、ボックス状体Ａにおける内側に位置する当該溝１７の溝壁面が、前記背板１３における面１３ａもほぼ面一の状態とされており、しかも、当該溝１７に化粧板１８の各側端部が密に嵌め込まれるようにしてあることから、化粧板１８は、当該ボックス状体Ａにおける背板１３の表面１３ａに密着した態様で、当該ボックス状体Ａの内奥部分を塞いで化粧効果を出し得るようにしてある。
【００４６】
この図示例にあっては、ボックス状体Ａにおける下側に備えられる下溝１７ｂの溝深さは、当該ボックス状体Ａにおける上側の上溝１７ａの溝深さよりも浅く構成してある。また、ほぼ、前記各板で囲まれた背板１３の表面１３ａよりも、やや縦幅を大きくし、しかも、二枚の化粧板１８を横向きに並べた際に、横向きの当該表面１３ａを覆いうる化粧板１８を用意してある。そこで、一枚目の化粧板１８の上縁部１８ａを深溝とされている上溝１７ａに押し入れてから、下方にずらせて下溝１７ｂに落とし込むようにして当該化粧板１８を上溝１７ａ及び下溝１７ｂａに嵌め込むと共に、これを側方に、すなわち、横向きに移動して、当該嵌め込み化粧板１８の一方縁部１８ｃを縦溝１７ｃ内に押し入れる。この縦溝１７ｃに化粧板１８を押し込むことで余裕のできた背板１３の面１３ａに対して、二枚目の化粧板１８を添わせるようにして当該化粧板１８の上縁部１８ａを上溝１７ａに押し入れ、これを下方にスライドさせて下溝１７ｂａに下縁部１８ｂを嵌め入れ、当該化粧板１８を上溝１７ａ、下溝１７ｂに嵌めつけ、これを、横方向に向けて、先の化粧板１８と逆向きに移動し、縁部１８ｃを縦溝１７ｃに押し込む。また、この図示例にあっては、横方向に長い矩形のボックス状体Ａの中央部において背板１３を止め具１６で壁Ｂに固定してあり、また、二枚の化粧板１８の横幅が、ほぼ等寸としてあることから、この溝１７に嵌め入れた化粧板１８を左右に押して各縁部１８ｃを縦溝１７ｃに押し入れた際に、溝１７に押し入れられないで互いに向き合っている二枚の化粧板１８の縁部１８ｄ、１８ｄ間に止め具１６があらわれるように構成してあり、この止め具１６を仕切り板１４の後端面１４ｄ’で隠すと共に、当該化粧板１８の縁部１８ｄ、１８ｄを、この仕切り板１４の後端面１４ｄ’で背板１３に押しつけることができ、背板１３において壁Ｂに止着されるボックス状体Ａにおける各止め具１６を前記化粧板１８と当該仕切り板１４とで効果的に隠すことができる。
【００４７】
かかるボックス状体Ａに対して仕切り板１４を装着する。
【００４８】
この仕切り板１４は、上側板１０と下側板１１とを連結し、かつ、必要に応じて背板１３と連結して、壁Ｂに備え付け構成されるボックス状体Ａが、当該ボックス状体Ａに付加される荷重を十分に余裕をもって受けうるように、構成される当該ボックス状体Ａに強度をもたらすものであれば、いかなる態様に設けてあってもよい。
【００４９】
この図示例にあっては、下側板１１と上側板１０及び背板１３に対して当該仕切り板１４を掛合手段Ｃの掛合によって連結してあり、より具体的には、当該掛合手段Ｃの掛脱可能な掛合によって、当該仕切り板１４で、下側板１１及び上側板１０並びに背板１３を連結してある。
【００５０】
かかる仕切り板１４は、いかなる掛合手段Ｃによって、上側板１０、下側板１１及び背板１３に対して掛合してあってもよく、構成されるボックス状体Ａの態様、使用目的等から総合的に勘案して都合のよい掛合手段Ｃを選択して装着、用いることができる。
【００５１】
この図示例に係る掛合手段Ｃは、互いに掛脱可能に掛合される対をなす一方の掛合手段Ｃをなす掛合具２１と、他方の掛合手段Ｃをなす掛合具２２で構成してあり、一方の掛合手段Ｃを仕切り板１４側に他方の掛合手段Ｃを上側板１０及び下側板１１並びに背板１３に備え付けてある。
【００５２】
この図示例において、上側板１０及び下側板１１並びに背板１３に備えられる一方の掛合手段Ｃをなす掛合具２１と、仕切り板１４に備えられて当該掛合具２１に掛脱可能に掛合される他方の掛合手段Ｃをなす掛合具２２とを備えた構成としてある。
【００５３】
この一方の掛合手段Ｃを構成する掛合具２１は、下側板１１の上面、上側板１０の下面、背板１３の表面１３ａに添装される取付板部２１ａと、当該取付板部２１ａの一端側から起立されている起立板部２１ｂと、この起立板部２１ｂの先端部から前記取付板部２１ａに向き合い、かつ、平行をなすように突設されている掛合板部２１ｃとを備えて、これらの取付板部２１ａ及び起立板部２１ｂ並びに掛合板部２１ｃ間に溝状凹部２１ｄを構成された比較的長尺のフレーム体として構成してある。この図示例では、当該ボックス状体Ａにおける横方向のほぼ中央位置であって、前記上側板１０、下側板１１、背板１３に直交する一つの仮想面（前記側板１２に平行な仮想面）を中心にするように当該上側板１０部の下面、下側板１１部の上面、背板１３の表面１３ａ位置に、それぞれ、前記フレーム体としての掛合具２１〜２１を位置づけるように設け、この掛合具２１〜２１に仕切り板１４に備えられている他方の掛合手段Ｃである掛合具２２を掛合させることで、仕切り板１４を各側板１２に平行に備え付け得るようにしてある。
【００５４】
かかる下側板１１、上側板１０及び背板１３に備えられる掛合具２１、２１、２１は、起立板部２１ｂの先端部から突設されている掛合板部２１ｃの突き出しの向きを同一の方向（図６〜図８では、左方向）にして、前記仮想の面が、当該掛合具２１の中心を通るように備え付けてあり、この図示例では、前記取付板部２１ａを上側板１０、下側板１１、背板１３に添装した状態で、孔２１ｅから当該上側板１０、下側板１１、背板１３にビス４０をねじ入れて、それぞれ止めつけてある。また、必要に応じて、ビス４０のねじ入れに都合のよいように前記掛合板部２１ｃに、ビス４０のねじ入れ用の割欠部等を適宜設ける。なお、当然のことながら、これらの掛合具２１〜２１は、各掛合具２１が、これに隣り合う掛合具２１の掛合の妨げとならないように、備え付けてあり、この図示例では、背板１３に備えられる掛合具２１が、上側板１０及び下側板１１に備えられる掛合具２１に対して掛合される仕切り板１４の掛合具２２が都合よく掛合し得るように、当該上側板１０及び下側板１１に備えられる掛合具２１と適宜の間隔を離して設けるようにしてある。
【００５５】
次いで、前記掛合具２１に掛合される他方の掛合手段Ｃである掛合具２２は、この図示例にあっては、仕切り板１４の前端部１４ｃを除く、上端部１４ａ、下端部１４ｂ及び後端部１４ｄに備えられている凹溝１５に備えられており、前記掛合具２１に都合よく掛合し得るように構成してある。
【００５６】
この図示例に係る凹溝１５は、仕切り板１４の前端部１４ｃを除く、上端部１４ａの比較的前部から後端部１４ｄを経て下端部１４ｂの比較的前部に到る一連に連続した凹溝１５として構成してあり、当該上端部１４ａに備えられている凹溝１５ａ内の前部から後端部１４ｄに備えられている凹溝１５ｃに到る凹溝１５ａ内に掛合具２２を、また、下端部１４ｂに備えられている凹溝１５ｂ内の前部から後端部１４ｄに備えられている凹溝１５ｃに到る凹溝１５ｂ内に掛合具２２を、また、上側にある凹溝１５ａと下側にある凹溝１５ｂ間にある縦向きの凹溝１５ｃ内に掛合具２２を設けてあり、この凹溝１５ｃに備えられる掛合具２２が、凹溝１５ａ、１５ｂに備えられる掛合具２２の掛合具２１に対する掛合の妨げとならないように構成してある。なお、当該凹溝１５は、当該凹溝１５内に備え付けられる掛合具２２が都合よく納まると共に、この凹溝１５内に備え付けられる掛合具２２に対して前記掛合具２１を掛合させるために受け入れ得る溝幅を備えたものとして構成してある。
【００５７】
かかる仕切り板１４に備えられる掛合手段Ｃとしての掛合具２２は、前記凹溝１５ａ、１５ｂ、１５ｃからなる凹溝１５の溝底１５’に都合よく納まる幅の取付板部２２ａと、当該取付板部２２ａの一端側から凹溝１５の一方の側壁１５”に添って起立されている起立板部２２ｂと、この起立板部２２ｂの先端部から前記取付板部２２ａに向き合い、かつ、平行をなすように突設されている掛合板部２２ｃとを備えて、これらの取付板部２２ａ及び起立板部２２ｂ並びに掛合板部２２ｃ間に溝状凹部２２ｄを構成された比較的長尺のフレーム体として構成してあり、凹溝１５ａ及び凹溝１５ｂにおける前部側から後部側にわたる部分と、凹溝１５ｃにおける当該凹溝１５ａ、１５ｂに備えられる掛合具２２の妨げとならない位置とに、それぞれ当該掛合具２２を、この掛合具２２における取付板部２２ａを溝底１５’に接しさせて、当該取付板部２２ａに設けた孔２２ｅからビス４１を当該仕切り板１４にねじ入れて、止着してある。なお、必要に応じて、ビス４１のねじ込みに都合のよいように前記掛合板部２２ｃに適宜の凹欠部を設ける。
【００５８】
このように構成される掛合具２２は、前記上側板１０及び下側板１１並びに背板１３に備えられる前記掛合具２１における溝状凹部２１ｄに、当該掛合具２２における掛合板部２２ｃを納め入れ得る向きとなるように（図６〜図８において右方向に）、仕切り板１４の凹溝１５内に設けてあり、より典型的には、当該仕切り板１４の凹溝１５内に備えられる掛合具２２に前記上側板１０及び下側板１１に備えられている掛合具２１を掛合させた際に、この仕切り板１４の上端面１４ａ’が上側板１０の下面に、仕切り板１４の下端面１４ｂ’が下側板１１の上面に、それぞれ密に接し得るように、凹溝１５ａと凹溝１５ｂとを、この掛合具２１における取付板部２１ａの厚さ相当分、深く構成してあり、この凹溝１５ａ、１５ｂに掛合具２２を組み付けた際に、各掛合具２２の掛合板部２２ｃ上に、他方の掛合手段Ｃをなす掛合具２１の取付板部２１ａが納まる空間を生ずるように構成してある。
【００５９】
また、仕切り板１４の後端側に備えられる凹溝１５ｃに備えられる掛合具２２は、この掛合具２２の掛合板部２２ｃの外側の面、すなわち、溝状凹部２２ｄを構成してない面が仕切り板１４の後端面１４ｄ’と面一となるようにしてあり、化粧板１８と化粧板１８との間の背板１３に止着されている掛合具２１の取付板部２１ａに前記掛合板部２１ｃの外側の面を接しさせて、掛合板部２２ｃを溝状凹部２１ｄに納め入れ得るように構成してある。
【００６０】
なお、この仕切り板１４に備えられる凹溝１５は、当該凹溝１５内に掛合具２２を、この掛合具２２における起立板部２２ｂの背面、すなわち、溝状凹部２２ｄと反対の側にある面を該凹溝１５における一方の溝壁１５”面（図６〜図９における凹溝１５の左側にある溝壁１５”面）に接しさせて備え付けた際に、当該凹溝１５における他方の溝壁１５”面と、当該備え付け掛合具２２の掛合板部２２ｃの突き出し端との間に、前記上側板１０及び下側板１１並びに背板１３に備えられている掛合具２１の起立板部２１ｂ及び掛合板部２１ｃとを受け入れ得る空間を生ずるように構成してある。
【００６１】
このような掛合具２１の備え付けられたボックス状体Ａの前面開口側から当該ボックス状体Ａにおける上側板１０及び下側板１１に備えられている掛合具２１を仕切り板１４の上溝１５ａ、下溝１５ｂ内に受け入れるように当該仕切り板１４をボックス状体Ａ内に押し入れる。この仕切り板１４は、当該仕切り板１４を当該仕切り板１４の上溝１５ａ、下溝１５ｂに受け入れた掛合具２１の弾性材４２の付勢に抗して当該受け入れ掛合具２１に向けて押しつけながらボックス状体Ａに押し入れ、仕切り板１４の後端部１４ｄに備えられている掛合具２２の掛合板部２２ｃが他方掛合具２１の取付板部２１ｂに突き当たった状態で、この仕切り板１４に対する弾性材４２に抗した押しつけを解放することで、掛合具２１の掛合板部２１ｃを溝状凹部２２ｄに、掛合具２２の掛合板部２２ｃを溝状凹部２１ｄに対して掛合状態にする。また、かかる弾性材４２の付勢に抗した押しつけをなすことなく、掛合具２１の掛合板部２１ｃを溝状凹部２２ｄに、掛合具２２の掛合板部２２ｃを溝状凹部２１ｄに弾性材４２の付勢で嵌め入れた状態で仕切り板１４をボックス状体Ａに押し入れ、当該ボックス状体Ａの後端部１４ｄにある掛合具２２の掛合板部２２ｃが背板１３に備えられている掛合具２１の掛合板部２１ｃに突き当たった状態で、当該仕切り板１４を前記弾性材４２の付勢に抗して移動させ、仕切り板１４に備えられている掛合具２２の掛合板部２２ｃの先端と溝１５の溝壁１５”との間に背板１３側の掛合具２１の起立板部２１ｂ及び掛合板部２１ｃの通過空間を構成すると共に、この空間内に当該掛合具２１の起立板部２１ｂ及び掛合板部２１ｃを受け入れ、かつ、前記仕切り板１４に対する押し圧を開放することで、掛合具２１の掛合板部２１ｃを溝状凹部２２ｄに、掛合具２２の掛合板部２２ｃを溝状凹部２１ｄに掛合させることができる。
【００６２】
また、この図示例にあっては、上側板１０と下側板１１とに備えられている前記掛合具２１における起立板部２１ｂの背面、すなわち、溝状凹部２１ｄと反対側にある面に、スプリング、弾性片、弾性を備えるフォーム材等の弾性材４２、この図示例では、板バネ４２ａを設けてあり、凹溝１５内に掛合具２１を受け入れた際に、この掛合具２１の弾性材４２が凹溝１５の溝壁面１５”に接して、当該仕切り板１４を、この仕切り板１４に備えられている掛合具２２の掛合板部２２ｃを、前記掛合具２１の溝状凹部２１ｄに入れ込むように移動させ、掛合具２１の掛合板部２１ｃを掛合具２２の溝状凹部２２ｄ内に、かつ、掛合具２２の掛合板部２２ｃを掛合具２１の溝状凹部２１ｄ内に入れ込み、仕切り板１４を上側板１０と下側板１１とを掛合状態に維持させる。
【００６３】
また、かかる仕切り板１４の移動に伴って、背板１３に備えられている掛合具２１の掛合板部２１ｃが、仕切り板１４の後端部１４ｄに備えられている掛合具２２の溝状凹部２２ｄ内に、かつ、掛合具２２の掛合板部２２ｃが掛合具２１の溝状凹部２１ｄ内に、それぞれ、入れ込まれて、仕切り板１４と背板１３とを掛合状態に維持させる。
【００６４】
このように壁Ｂに取り付けられたボックス状体Ａは、そのままの状態で壁備え付けの収納棚として用いることができる。また、前記仕切り板１４の前端面１４ｃ’を上側板１０，下側板１１及び両側板１２、１２の構成する前面開口より、やや内側に位置づけるように備え付けて、当該前面開口を開閉する扉や蓋などを設けるようにしてあってもよい。
【００６５】
また、前記上側板１０，下側板１１及び両側板１２、１２で構成される矩形空間を仕切る掛脱可能な仕切り板１４で、これらの上側板１０、下側板１１及び両側板１２、１２を掛合してあれば、さらに、他の仕切り板や棚板等を備えさせて構成してあってもよい。
【００６６】
かかる構成からなるボックス状体Ａは、必要に応じて仕切り板１４を取り外して用いることができ、さらに、必要に応じて壁Ｂから取り外すことができる。
【００６７】
この図示例にあっては、前記仕切り板１４を弾性材４２である板バネ４２ａの弾性に抗して、掛合具２１及び掛合具２２における各掛合板部２１ｃ、２２ｃが、他方の掛合具２１及び掛合具２２における溝状凹部２１ｄ、２２ｄから抜け出す向きに押動させながら、当該仕切り板１４を前方に引き抜くことで、当該仕切り板１４をボックス状体Ａから取り外すことができる。かかる状態で前記仕切り板１４の左右に組み付けられていた化粧板１８を、順次に、中央側に引き寄せて縁部１８ｃを溝１７ｃから引き出し状態にした上で、上方に引き上げ、下溝１７ｂに対する掛合を解きながら前方に引き出して取り外すことができ、当該ボックス状体Ａを壁に止着していた止め具１６の操作を可能とすることができる。この図示例では、当該止め具１６である木ねじをねじ戻すことで、ボックス状体を壁Ｂから取り外すことができる。
【００６８】
次いで、図９〜図１３に示されるボックス状体Ａについて説明する。
【００６９】
この図９〜図１３に示されるボックス状体Ａは、互いに面を向き合わせて平行に備えられる上側板１０（この図示例では、天板１０ａ）及び下側板１１（この図示例では中板１１ｂ）と、互いに面を向き合わせて平行に備えられる対をなす側板１２、１２と、背板１３とを備えており、当該背板１３の背面を壁面に添装するようにして該背板１３において壁Ｂに止着するように備え付けられるボックス状体Ａであって、
このボックス状体Ａは、当該ボックス状体Ａの前記側板１２に平行な一枚の仕切り板１４を、該仕切り板１４の上端部１４ａに備えられている対をなす掛合手段Ｃの一方を前記上側板１０に備えられている該掛合手段Ｃの他方に掛合し、かつ、下端部１４ｂに備えられている対をなす掛合手段Ｃの一方を下側板１１に備えられている該掛合手段Ｃの他方に掛合させ、さらに、前記仕切り板１４の後端部１４ｄに対をなす掛合手段Ｃの一方を、当該仕切り板１４の後端面１４ｄ’に向き合っている背板１３に備えられる該掛合手段Ｃの他方に掛合させ、前記上側板１０と下側板１１と、背板１３とを連結するようにしてあると共に、当該ボックス状体Ａを壁Ｂに対して止着する止め具１６の少なくとも一部を前記仕切り板１４の後端面１４ｄ’で隠すように構成してあって、前記図１〜図８に示されるボックス状体Ａの下部側に延設キャビネット部Ａ’を設けるために、前記下側板１１を中板１１ｂとし、側板１２に下方に延びる延設側板部１２’を設けた以外の構成を前記図１〜図８に示されるボックス状体Ａと同一又は実質的に同一の構成としてあり、取り付け手法、用い方、奏される効果も実質的に同一であって、化粧板１８の取り付け手法、仕切り板１４の上側板１０、下側板１１としての中板１１ｂ、背板１３に対する掛合手段Ｃによる掛合取り付けについても、実質的に同一である。
【００７０】
従って、前記図１〜図８におけるボックス状体Ａと同一又は実質的に同一の構成部分には、同一の番号を付して、その説明を省略する。
【００７１】
この図示例にあっては、上側板１０及び下側板１１としての中板１１ｂと両側板１２、１２と、背板１３とで囲まれた空間を二枚の仕切り板１４、１４で区分するように、当該仕切り板１４、１４で、これらの上側板１０、中板１１ｂ、両側板１２及び背板１３を掛合手段Ｃで、前記図１〜図８におけると同様にして連結してある。
【００７２】
なお、この図示例では、側板１２に下方に延びる延設側板部１２’を一連に設けることで、当該各側板１２を一枚の板材によって構成してあるが、ボックス状体Ａを構成する側板１２と、キャビネット部Ａ’を構成する側板とを別段に構成してあってもよい。
【００７３】
なお、この図示例にあっては、このボックス状体Ａの下部側を当該ボックス状体Ａと一体に構成されるキャビネット部Ａ’とするために、側板１２を下方に、より具体的には床面に接する位置まで延設した延設側板部１２’を一体に備えたものとし、このい延設側板部１２’を含む側板１２、１２間に上側板１０、中板１２’、底板１１’を組み付けると共に背板１３を備え付けるようにしてある。また、延設キャビネット部Ａ’には、開閉可能に扉１９を、その閉じ込み位置で吸着具４３で引き付けられて開き出さないように設けてある。
【００７４】
この図示例に係るボックス状体Ａでは、二枚の仕切り板１４を用いていることから、各仕切り板１４、１４間に備えられる化粧板１８は、その両側縁部が、いずれも縦溝１７ｃに押し込まれることが無く、縁部１８ｃを側板１２の側に備えられている縦溝１７ｃに押し込まれている化粧板１８における当該溝１７ｃに嵌め込まれていない側の縁部１８ｄと共に、仕切り板１４の後端面１４ｄ’と背板１３との間に挟み込み状態に保持されるようにしてある。
【００７５】
かかる構成からなるボックス状体Ａは、前記図１〜図８におけると同様にして仕切り板１４の組み付け、組み外しが可能であり、前記図１〜図８に示されるボックス状体Ａと同様に用いることができる。なお、この図示例にあっては、更に、中板１１ｂの垂れ下がりが効果的に防げることから、扉１９の開閉に支障を生ずることが無く、また、一体に備えられている延設キャビネット部Ａ’の地震等による転倒等が確実に防止される。
【００７６】
次いで、図１４〜図２０に示されるボックス状体Ａについて説明する。
【００７７】
この図１４〜図２０に示されるボックス状体Ａは、互いに面を向き合わせて平行に備えられる上側板１０（この図示例では、天板１０ａ）及び下側板１１（この図示例では底板１１ａ）と、互いに面を向き合わせて平行に備えられる対をなす側板１２、１２と、背板１３とを備えており、当該背板１３の背面を壁面に添装するようにして該背板１３において壁Ｂに止着するように備え付けられるボックス状体Ａであって、
このボックス状体Ａは、当該ボックス状体Ａの前記側板１２に平行な一枚の仕切り板１４を、該仕切り板１４の上端部１４ａに備えられている対をなす掛合手段Ｃの一方を前記上側板１０に備えられている該掛合手段Ｃの他方に掛合し、かつ、下端部１４ｂに備えられている対をなす掛合手段Ｃの一方を下側板１１に備えられている該掛合手段Ｃの他方に掛合させ、さらに、前記仕切り板１４の後端部１４ｄに対をなす掛合手段Ｃの一方を、当該仕切り板１４の後端面１４ｄ’に向き合っている背板１３に備えられる該掛合手段Ｃの他方に掛合させ、前記上側板１０と下側板１１と、背板１３とを連結するようにしてあると共に、当該ボックス状体Ａを壁Ｂに対して止着する止め具１６の少なくとも一部を前記仕切り板１４の後端面１４ｄ’で隠すように構成してあって、前記図１〜図８に示されるボックス状体Ａの仕切り板１４の上端部１４ａと下端部１４ｂに備えられる一方の掛合手段Ｃをなす掛合具２１に代えて掛合具３１を、上側板１０、下側板１１に備えられて当該掛合手段Ｃの掛合される他方の掛合手段Ｃをなす掛合具２２に代えて掛合具３２を用いた以外の構成を前記図１〜図８に記載のボックス状体Ａと同一又は実質的に同一の構成としてあり、組み付け方法、用い方、及び、奏する効果も実質的に同一である。
【００７８】
従って、図１〜図８に示されるボックス状体Ａと同一又は実質的に同一の構成部分には同一の番号を付して、その説明を省略する。
【００７９】
この図示例にあっても、前記図１〜図８におけると同一の条件のもとに、前記掛合具２１の備えられている上側板１０及び下側板１１に対する掛合具２１に代えて掛合具３１が設けてあり、また、当該掛合具３１に掛合される他方の掛合具３２を、仕切り板１４の上溝１５ａと下溝１５ｂとに設けるようにしてある。
【００８０】
すなわち、この図示例に係る仕切り板１４においても、前記図１〜図８における仕切り板１４におけると同様に当該仕切り板１４の上端部１４ａの前部側から後端部１４ｄに到る凹溝１５ａと、後端部１４ｄの縦向きに備えられる凹溝１５ｃと、該凹溝１５ｃから下端部１４ｂの前部側に到る凹溝１５ｂとを一連に備え、この凹溝１５ａの前部側と、凹溝１５ｂの前部側との当該溝内に、上側板１０、下側板１１の掛合具３１に掛合される掛合具３２を植設してあり、前記凹溝１５ｃ内に前記図１〜図８における掛合具２２と実質的に同一の掛合具２２を、背板１３に備えられる掛合具２１に掛合し得るように設けてある。
【００８１】
この仕切り板１４の溝１５に備えられる掛合具３２は、この溝１５内に案内される掛合具３１に掛合されて、当該溝１５内に納まる構成としてあり、この図示例にあっては、軸部３２ｂよりも外径の大きい頭部３２ａと、当該軸部３２ｂに備えられている鍔部３２ｃと当該頭部３２ａとの間が頸部３２ｂ’とされ、この鍔部３２ｃから先端をねじ部３２ｂ”としてあって、前記仕切り板１４における凹溝１５ａ内の前部側と、凹溝１５ｂ内の前部側とに、当該掛合具３２の頭部３２ａが各凹溝１５から外方に突き出さないように当該凹溝１５の溝底１５’にねじ止めしてある。
【００８２】
また、この仕切り板１４の後端部１４ｄに備えられる凹溝１５ｃには、背板１３に備えられる掛合具２１に、前記図１〜図８におけると同様に掛合される掛合具２２が、前記図１〜図８と実質的に同一の態様で設けてある。
【００８３】
また、当該仕切り板１４に備えられる掛合具３２に掛合される掛合具３１、３１及び当該仕切り板１４に備えられる掛合具２２に掛合される掛合具２１を、上側板１０、下側板１１及び背板１３に、前記図１〜図８におけると同様の態様で、すなわち、同様の位置に備え付け用意する。なお、この掛合具２１には、起立板部２１ｂにおける溝状凹部２１ｄと反対側の面にプラスチックフォーム材４２ｂ等からなる弾性材４２を設けてある。
【００８４】
かかる上側板１０の下側面、下側板１１の上側面に備え付けられる掛合具３１は、前記仕切り板１４の差し込み方向に長い細幅板状体で構成されており、その両端部が上側板１０、下側板１１の板面に密着して取り付けられる取付板部３１ａとしてあり、この取付板部３１ａ、３１ａの互いに向き合っている縁端から起立又は傾斜状に起立される起立板部３１ｂ、３１ｂを延設してあり、かつ、この起立板部３１ｂ、３１ｂを前記取付板部３１ａにほぼ平行な引っ掛け板部３１ｃで連結一体としてあって、一方側にある前記起立板部３１ｂから引っ掛け板部３１ｃにかけて、前記掛合具３２の頭部３２ａの入れ込まれる幅広の穴３１ｄが設けてあると共に、この起立板部３１ｂに連続する引っ掛け板部３１ｃに、当該幅広の穴３１ｄに連通する幅狭の溝孔３１ｅを他方側にある起立板部３１ｂ側に向けて設けてあり、掛合具３２における頸部３２ａ”を溝孔３１ｅに導き入れた状態で、引っ掛け板部３１ｃを該頭部３２ｂと鍔部３２ｃとの間で挟むように機能し、掛合状態に維持する。
【００８５】
かかる掛合具３１を、その取付板部３１ａを上側板１０の下面と、下側板１１の上面とに、当該掛合具３１における穴３１ｄがボックス状体Ａにおける開口側に向くように、すなわち、仕切り板１４の差し込み方向に向くように、当該掛合具３１の長手向きを仕切り板１４の凹溝１５の長手向きに合わせて取付板部３１ａの孔３１ｆからビス３１ｇを上側板１０、下側板１１にねじ入れ止めつけ、この掛合具３１を仕切り板１４の凹溝１５に受け入れうるように、仕切り板１４をボックス状体Ａに嵌め入れる。なお、仕切り板１４により上側板１０及び下側板１１の強固な連結をなす意図から、この上側板１０及び下側板１１に備えられる掛合具３１は、極力、ボックス状体Ａにおける開口部に近い側に備え付けることが好ましい。
【００８６】
かかる仕切り板１４の凹溝１５内に前記掛合具３１を受け入れるように、ボックス状体Ａに仕切り板１４を差し入れ、掛合具３１における穴３１ｄから掛合具３２の頭部３２ａを当該掛合具３１における引っ掛け板部３１ｃの下方に案内し、頸部３２ｂを引っ掛け板部３１ｃにおける細幅の長孔３１ｅに導き入れて、前記頭部３２ａを当該長孔３１ｅの両側にある引っ掛け板部３１ｃに引っ掛けるように掛合する。
【００８７】
また、当該仕切り板１４を各側板１２に平行に押し込んだ際に、当該仕切り板１４の後端部１４ｄに備えられている掛合具２２における掛合板部２２ｂが、背板１３に備えられている掛合具２１の掛合板部２１ｂに当接するようにしてある場合、この状態で、当該仕切り板１４を、この仕切り板１４における掛合板部２２ｃの先端と溝壁１５”との間の隙間内に掛合具２１の起立板部２１ｂ及び掛合板部２１ｃを納め入れうるように前記弾性材４２の付勢に抗して横向きに移動させながら、当該仕切り板１４を背板１３の前面にある化粧板１８に押しつけるように移動させる。かかる仕切り板１４における掛合板部２２ｃの先端と溝壁１５”との間の隙間内に掛合具２１の起立板部２１ｂ及び掛合板部２１ｃを納め入れることで、掛合具２１の起立板部２１ｂに備えられている弾性材４２が仕切り板１４の溝壁１５”を弾発し、仕切り板１４を側方（図１９及び図２０では、右方向）に移動させ、掛合具２１の掛合板部２１ｃを溝状凹部２２ｄに、掛合具２２の掛合板部２２ｃを溝状凹部２１ｄに掛合状態にすることができる。なお、この掛合具３２を支点とする前記仕切り板１４の横移動に伴って、当該仕切り板１４の後端面１４ｄ’と化粧板１８との間に隙間を生ずる際には、当該仕切り板１４をボックス状体Ａの奥方向に更に押し入れ、この押し入れ状態を前記弾性材４２によって保持させる。
【００８８】
このようにして構成されるボックス状体Ａは、かかる仕切り板１４は、前記弾性材４２の付勢に抗して当該仕切り板１４の奥側を前記各掛合具２１、２２の掛合を解く向きに移動させた状態で、手前に引き出すことで取り外すことができ、前記手法で化粧板１８を脱装して、壁に対する背板１３の止めつけ状態を解消することができる。
【００８９】
かかる構成からなるボックス状体Ａにあっても、前記図１〜図８に示されるボックス状体Ａと同様に用いることができ、かつ、同様の作用効果を奏するボックス状体Ａを構成することができる。
【符号の説明】
【００９０】
Ａ  ボックス状体
Ｂ  壁
Ｃ  掛合手段
１０  上側板
１１  下側板
１２  側板
１３  背板
１４  仕切り板
１４ａ  上端部
１４ｂ  下端部
１４ｄ’  後端面  
１６  止め具
【図１】
2010167074.tif 000003
【図２】
2010167074.tif 000004
【図３】
2010167074.tif 000005
【図４】
2010167074.tif 000006
【図５】
2010167074.tif 000007
【図６】
2010167074.tif 000008
【図７】
2010167074.tif 000009
【図８】
2010167074.tif 000010
【図９】
2010167074.tif 000011
【図１０】
2010167074.tif 000012
【図１１】
2010167074.tif 000013
【図１２】
2010167074.tif 000014
【図１３】
2010167074.tif 000015
【図１４】
2010167074.tif 000016
【図１５】
2010167074.tif 000017
【図１６】
2010167074.tif 000018
【図１７】
2010167074.tif 000019
【図１８】
2010167074.tif 000020
【図１９】
2010167074.tif 000021
【図２０】
2010167074.tif 000022